(57)【要約】【課題】  測定装置を大きくすることなく長期間動作ができるようにすると共に、マンホールの形状に合わせて柔軟に装置を設置することができ、電源交換時にも、測定装置を取り外す必要がなく、メンテナンス作業が簡単となるマンホール設置型データ通信装置を提供する。【解決手段】  センサ２からのデータを収集し、無線通信によってデータを外部に送信する測定装置３と、この測定装置３に電源を供給するバッテリ４とをそれぞれ別のユニットに分けて構成し、両ユニット間をコネクタ３３を介して電源ケーブル４１で接続した構成とする。【選択図】        図１
2006233436.tif 000002
【特許請求の範囲】
【請求項１】
マンホール内の配管等に設けられ、各種データを計測するセンサと、上記マンホール内に設けられ、上記センサから収集したデータを無線通信によって外部へ伝送し得るようにされた測定装置と、上記マンホール内で上記測定装置とは別のユニットとして設けられ、上記測定装置に電源を供給するバッテリとを備え、上記測定装置とバッテリとをコネクタを介して電源ケーブルによって接続したことを特徴とするマンホール設置型データ通信装置。
【請求項２】
上記測定装置に複数のコネクタを設け、それぞれのコネクタにバッテリを接続し得るようにしたことを特徴とする請求項１記載のマンホール設置型データ通信装置。
【請求項３】
上記測定装置内に充電可能な内部バッテリを設け、これを上記測定装置の電源の一部としたことを特徴とする請求項１記載のマンホール設置型データ通信装置。
【請求項４】
上記内部バッテリを上記マンホール内に設けた商用電源端子から充電し得るようにしたことを特徴とする請求項３記載のマンホール設置型データ通信装置。
【請求項５】
マンホールの近傍に太陽光発電パネルを設け、上記太陽光発電パネルが発電した電気によって上記内部バッテリを充電し得るようにしたことを特徴とする請求項３記載のマンホール設置型データ通信装置。
【発明の詳細な説明】
【技術分野】
【０００１】
この発明は、マンホール内に設置され、マンホール内で測定したデータを無線通信によって送信するデータ通信装置に関するものである。
【背景技術】
【０００２】
従来のマンホール内に設置するデータ通信装置は、内部に電源と発信機を持つ測定装置と、マンホール蓋に装着されたアンテナとを接続し、センサで計測した情報をマンホール蓋のアンテナ経由で外部に伝送していた。（例えば特許文献１参照）。
【０００３】
【特許文献１】特開平８−５３８７８号公報
【発明の開示】
【発明が解決しようとする課題】
【０００４】
従来のマンホール内に設置するデータ通信装置は上記のように測定装置自体に電源を内蔵していたため、測定装置を長期間動作させるためには内部電源を大きくする必要があるが、それによって測定装置自体も大きくなってしまい、マンホールなどの限られた空間に設置することが難しくなるという問題点があった。また、電源を交換する場合には、測定装置自体を取り外して内部の電源を交換しなければならないため、メンテナンス作業に手間がかかるという問題点もあった。
【０００５】
この発明は上記のような問題点を解消するためになされたものであり、測定装置を大きくすることなく長期間動作ができるようにすると共に、マンホールの形状に合わせて柔軟に装置を設置することができ、電源交換時にも、測定装置を取り外す必要がなく、メンテナンス作業が簡単となるマンホール設置型データ通信装置を提供することを目的とする。
【課題を解決するための手段】
【０００６】
この発明に係るマンホール設置型データ通信装置は、センサからのデータを収集し、無線通信によってデータを外部に送信する測定装置と、この測定装置に電源を供給するバッテリとをそれぞれ別のユニットに分けて構成し、両ユニット間をコネクタを介して電源ケーブルで接続したものである。
【発明の効果】
【０００７】
この発明によれば、測定装置とバッテリとをそれぞれ別のユニットに分けて構成したので、測定装置とバッテリをそれぞれ別の箇所に分けて設置することができ、設置場所の形状に合わせて柔軟に対応することができる。また、コネクタを設けて測定装置とバッテリとをケーブルで接続する構成としたので、バッテリを交換するときに測定装置を取り外す必要がなく、メンテナンスが容易なシステムが得られる。
【発明を実施するための最良の形態】
【０００８】
実施の形態１．
以下、この発明の実施の形態１を図にもとづいて説明する。図１は、実施の形態１の構成を示す概略図である。この図に示すように、マンホール蓋１０で覆われたマンホール１１内には種々の配管１２や消火栓１３が設置されており、これらに装着されたセンサ２によって圧力や流量など監視に必要な情報を計測するようになっている。
【０００９】
センサ２は、圧力計や流量計などを単独で用いて計測する場合だけでなく、２台の圧力計を用いて差圧を計測する場合や複数のセンサを用いて複数の項目を測定する場合もある。
【００１０】
マンホール１１内にはまた、センサ２で計測されたデータを収集すると共に、そのデータを無線通信によって外部に伝送する機能を備えた測定装置３と、マンホール蓋１０に装着されると共に測定装置３に接続され、測定装置３のデータを外部の監視装置５に無線伝送するマンホールアンテナ１と、測定装置３とは別のユニットとして設けられ、測定装置３及びセンサ２に動作用の電源を供給するバッテリ４が設けられ、バッテリ４と測定装置３とはコネクタ３３と電源ケーブル４１とを介して接続されている。
【００１１】
監視装置５は、マンホール外の適宜の箇所に設置され、無線回線（ＰＨＳや携帯電話などの公衆回線を含む）を利用して測定装置３が収集したデータを取得することにより、マンホール１１内の状態を監視することができるようになっている。
【００１２】
測定装置３は、センサ２で計測したデータを収集するデータ収集部３１と、データ収集部３１で収集したデータをマンホールアンテナ１経由で監視装置５へ無線送信するデータ伝送部３２とから構成され、データ収集部３１は、内部に一定期間（例えば１ヵ月程度）のデータを蓄積できるメモリを持ち、センサ２から定期的にデータを収集して内部メモリに蓄積するようにされている。これにより電波状態の悪化などによって一時的に監視装置５との通信ができない状態があってもデータを記録しているため、通信可能な状態となった後にその期間のデータを監視装置５から収集することができる。
【００１３】
実施の形態１は以上のように構成され、測定装置３とバッテリ４とを個別のユニットとして構成し、コネクタ３３と電源ケーブル４１を介して接続するようにしたので、マンホール内での設置場所の形状に合わせて分離して設置することができる。例えば、図２にマンホールの平面図を概略的に示すように、円筒状のマンホール１１の中心に消火栓１３がある場合でも、測定装置３とバッテリ４の筐体を特殊な形状にすることなく簡単に消火栓１３の周囲のスペースに設置することが可能となる。
【００１４】
さらに、バッテリ４は、測定期間や設置場所の形状に合わせて変更することができるので、用途に合わせて柔軟に対応することが可能である。また、測定装置３とバッテリ４はコネクタ３３によって簡単に取り付け、取り外しが可能であるため、バッテリ４を交換する場合でもバッテリ４のみを取り外して交換することができ、メンテナンス作業が簡単になる。
【００１５】
実施の形態２．
次に、この発明の実施の形態２を図にもとづいて説明する。上述した実施の形態１では、測定装置３とバッテリ４とをコネクタ３３と電源ケーブル４１により接続する場合について述べたが、実施の形態２は図３に示すように、測定装置３に複数のコネクタ３３、３３Ａを設け、複数のバッテリ４、４Ａを接続することができるようにしたものである。
【００１６】
多くのバッテリを接続することができれば、測定装置３を長期間にわたって動作させることが容易になると共に、少なくとも一つのバッテリが接続された状態で、他のバッテリを交換することができるので、測定装置３を停止させることなくバッテリの交換を行うことができる。
【００１７】
実施の形態３．
次に、この発明の実施の形態３を図にもとづいて説明する。上述した実施の形態２では、測定装置３に複数のコネクタ３３、３３Ａを設けて複数のバッテリ４、４Ａを接続し得るようにした構成について述べたが、実施の形態３は図４に示すように、測定装置３内に充電可能な内部バッテリ３４を設け、バッテリ４が測定装置３に電源を供給すると共に、内部バッテリ３４を充電するようにしたものである。
【００１８】
この実施の形態によれば、もし、何らかの原因でバッテリ４からの電源供給がなくなったとしても、内部バッテリ３４から測定装置３に電源を供給することができる。このように、内部バッテリ３４を設けたことにより、バッテリ４から給電できなくなっても測定装置３に電源を供給することができ、バッテリ交換時にも装置を停止することなくバッテリ交換を行うことができる。
【００１９】
さらに、図５に示すように、マンホール１１内で商用電源７を利用することができる場合には、バッテリ４の代わりに商用電源７を利用して測定装置３への給電と、内部バッテリ３４の充電を行うことができる。また、停電により商用電源７からの電源供給がなくなった場合でも装置を停止することなく動作させることができる。
【００２０】
実施の形態４．
次に、この発明の実施の形態４を図にもとづいて説明する。上述した実施の形態３では、測定装置３内に内部バッテリ３４を設けることにより、商用電源の利用で停電になった場合でも装置を停止することなく動作させることができる構成について述べたが、実施の形態４は図６に示すように、マンホールの近傍に太陽光発電パネル９を設け、そこで発電した電気を使って測定装置３を動かすと共に、内部バッテリ３４の充電をも行うようにしたものである。
【００２１】
夜間などで太陽光発電パネル９による発電ができない時は、内部バッテリ３４により測定装置３を動作させて装置を継続運転することができる。また、太陽光発電パネル９の運用時には他の電源が不要になるため運用コストを抑えることができる。
【図面の簡単な説明】
【００２２】
【図１】この発明の実施の形態１の構成を示す概略図である。
【図２】実施の形態１においてマンホールの上方から見た構成を示す概略平面図である。
【図３】この発明の実施の形態２の構成を示す概略図である。
【図４】この発明の実施の形態３の構成を示す概略図である。
【図５】実施の形態３の別の実施例を示す概略図である。
【図６】この発明の実施の形態４の構成を示す概略図である。
【符号の説明】
【００２３】
１  マンホールアンテナ、  ２  センサ、  ３  測定装置、  ４  バッテリ、
５  監視装置、  ７  商用電源、  ８  接続ケーブル、  ９  太陽光発電パネル、
１０  マンホール蓋、  １１  マンホール、  １２  配管、  １３  消火栓、
３１  データ収集部、  ３２  データ伝送部、  ３３  コネクタ、
３４  内部バッテリ、  ４１  電源ケーブル。
【図１】
2006233436.tif 000003
【図２】
2006233436.tif 000004
【図３】
2006233436.tif 000005
【図４】
2006233436.tif 000006
【図５】
2006233436.tif 000007
【図６】
2006233436.tif 000008